(57)【要約】【課題】状況に応じた処理を行う。【解決手段】携帯端末１００が表示しようとするコンテンツのコンテンツ容量を示す情報をサーバへ要求する要求部１１０と、サーバから通知されたコンテンツ容量と、携帯端末１００の処理の負荷とに基づいて、携帯端末１００の動作モードを第１のモードから第２のモードへ切り替えるモード切替部１２０と、モード切替部１２０が、携帯端末１００の動作モードを第１のモードから第２のモードへ切り替えた場合、情報処理装置と接続し、コンテンツに応じた映像信号の送信を情報処理装置に対して要求する通信部１３０とを有する。【選択図】図１
2018042210.tif 000002
【特許請求の範囲】
【請求項１】
携帯端末であって、
当該携帯端末が表示しようとするコンテンツのコンテンツ容量を示す情報をサーバへ要求する要求部と、
前記サーバから通知されたコンテンツ容量と、当該携帯端末の処理の負荷とに基づいて、当該携帯端末の動作モードを第１のモードから第２のモードへ切り替えるモード切替部と、
前記モード切替部が、当該携帯端末の動作モードを前記第１のモードから前記第２のモードへ切り替えた場合、情報処理装置と接続し、前記コンテンツに応じた映像信号の送信を該情報処理装置に対して要求する通信部とを有する携帯端末。
【請求項２】
請求項１に記載の携帯端末において、
前記情報処理装置から送信されてきた映像信号に基づいた映像を表示する表示部を有する携帯端末。
【請求項３】
請求項１または請求項２に記載の携帯端末において、
前記モード切替部は、前記コンテンツ容量が所定の容量閾値を超えている場合、前記動作モードを前記第１のモードから前記第２のモードへ切り替える携帯端末。
【請求項４】
請求項１から３のいずれか１項に記載の携帯端末において、
前記モード切替部は、当該携帯端末のＣＰＵ（Ｃｅｎｔｒａｌ  Ｐｒｏｃｅｓｓｉｎｇ  Ｕｎｉｔ）の負荷に基づいて、前記動作モードを前記第１のモードから前記第２のモードへ切り替える携帯端末。
【請求項５】
請求項４に記載の携帯端末において、
前記モード切替部は、前記ＣＰＵの負荷が所定の負荷閾値を超えている場合、前記動作モードを前記第１のモードから前記第２のモードへ切り替える携帯端末。
【請求項６】
請求項１から５のいずれか１項に記載の携帯端末において、
前記モード切替部は、当該携帯端末のメモリの使用率に基づいて、前記動作モードを前記第１のモードから前記第２のモードへ切り替える携帯端末。
【請求項７】
請求項６に記載の携帯端末において、
前記モード切替部は、前記メモリの使用率が所定の使用率閾値を超えている場合、前記動作モードを前記第１のモードから前記第２のモードへ切り替える携帯端末。
【請求項８】
請求項１から７のいずれか１項に記載の携帯端末において、
前記通信部が前記情報処理装置と接続した場合、前記コンテンツに応じた、当該携帯端末と前記情報処理装置との間のインタフェース情報を、前記情報処理装置から取得し、該取得したインタフェース情報を当該携帯端末に設定するインタフェース設定部を有する携帯端末。
【請求項９】
請求項１から８のいずれか１項に記載の携帯端末において、
前記通信部は、前記モード切替部が、前記動作モードを前記第１のモードから前記第２のモードへ切り替えた場合、あらかじめ設定された情報処理装置と接続する携帯端末。
【請求項１０】
請求項１から８のいずれか１項に記載の携帯端末において、
前記通信部は、前記モード切替部が、前記動作モードを前記第１のモードから前記第２のモードへ切り替えた場合、当該携帯端末と通信可能な情報処理装置を検索し、該検索できた情報処理装置と接続する携帯端末。
【請求項１１】
請求項１から１０のいずれか１項に記載の携帯端末において、
前記モード切替部は、当該携帯端末が前記第２のモードで動作している場合、所定のタイミングで前記動作モードを前記第２のモードから前記第１のモードへ切り替える携帯端末。
【請求項１２】
請求項１１に記載の携帯端末において、
前記モード切替部は、当該携帯端末が前記第２のモードで動作している場合、前記コンテンツに応じた映像の表示が終了したとき、前記動作モードを前記第２のモードから前記第１のモードへ切り替える携帯端末。
【請求項１３】
請求項１１または請求項１２に記載の携帯端末において、
外部からの操作に基づいた入力を受け付ける入力部を有し、
前記モード切替部は、当該携帯端末が前記第２のモードで動作している場合、前記入力部が所定の入力を受け付けたとき、前記動作モードを前記第２のモードから前記第１のモードへ切り替える携帯端末。
【請求項１４】
請求項１から１３のいずれか１項に記載の携帯端末において、
当該携帯端末は、ウェアラブル端末である携帯端末。
【請求項１５】
請求項１４に記載の携帯端末において、
当該携帯端末は、腕時計型である携帯端末。
【請求項１６】
請求項１４に記載の携帯端末において、
当該携帯端末は、眼鏡型である携帯端末。
【請求項１７】
コンテンツを配信するサーバと、
前記サーバと接続された情報処理装置と、
携帯端末とを有し、
前記サーバは、前記携帯端末から、前記携帯端末が表示しようとするコンテンツのコンテンツ容量を示す情報を要求された場合、該コンテンツ容量を前記携帯端末へ通知し、
前記情報処理装置は、前記携帯端末から、前記コンテンツに応じた映像信号の送信を要求された場合、該コンテンツを前記サーバから取得し、該取得したコンテンツに応じた映像信号を前記携帯端末へ送信し、
前記携帯端末は、
前記コンテンツ容量を示す情報を前記サーバへ要求する要求部と、
前記サーバから通知されたコンテンツ容量と、当該携帯端末の処理の負荷とに基づいて、当該携帯端末の動作モードを第１のモードから第２のモードへ切り替えるモード切替部と、
前記モード切替部が、当該携帯端末の動作モードを前記第１のモードから前記第２のモードへ切り替えた場合、前記情報処理装置と接続し、前記コンテンツに応じた映像信号の送信を該情報処理装置に対して要求する通信部とを有する情報処理システム。
【請求項１８】
請求項１７に記載の情報処理システムにおいて、
前記携帯端末は、前記情報処理装置から送信されてきた映像信号に基づいた映像を表示する表示部を有する情報処理システム。
【請求項１９】
携帯端末が表示しようとするコンテンツのコンテンツ容量を示す情報をサーバへ要求する処理と、
前記サーバから通知されたコンテンツ容量と、前記携帯端末の処理の負荷とに基づいて、前記携帯端末の動作モードを第１のモードから第２のモードへ切り替える処理と、
前記携帯端末の動作モードを前記第１のモードから前記第２のモードへ切り替えた場合、情報処理装置と接続する処理と、
前記コンテンツに応じた映像信号の送信を前記情報処理装置に対して要求する処理とを行う情報処理方法。
【請求項２０】
コンピュータに、
携帯端末が表示しようとするコンテンツのコンテンツ容量を示す情報をサーバへ要求する手順と、
前記サーバから通知されたコンテンツ容量と、前記携帯端末の処理の負荷とに基づいて、前記携帯端末の動作モードを第１のモードから第２のモードへ切り替える手順と、
前記携帯端末の動作モードを前記第１のモードから前記第２のモードへ切り替えた場合、情報処理装置と接続する手順と、
前記コンテンツに応じた映像信号の送信を前記情報処理装置に対して要求する手順とを実行させるためのプログラム。
【発明の詳細な説明】
【技術分野】
【０００１】
本発明は、携帯端末、情報処理システム、情報処理方法およびプログラムに関する。
【背景技術】
【０００２】
近年、携帯可能な情報処理装置の１つとして、利用者が着用可能な「ウェアラブル端末」が考えられている（例えば、特許文献１参照。）。この「ウェアラブル端末」（以下、携帯端末と称する）は、スマートホン等の情報処理装置と連携して、情報処理装置が配信サーバ等からダウンロードしたコンテンツに関する動画データを表示するものである。
【先行技術文献】
【特許文献】
【０００３】
【特許文献１】特開２０１５−０１１３６０号公報
【発明の概要】
【発明が解決しようとする課題】
【０００４】
特許文献１に記載された携帯端末は、携帯端末のみで表示等の処理が可能である場合であっても情報処理装置の介在が必要となる。それは、携帯端末のみで表示等の処理を行う動作モードと、情報処理装置を介して表示等の処理を行う動作モードとを切り替える手段が考えられていないからである。そのため、状況に応じた処理を行うことができないという問題点がある。
【０００５】
本発明の目的は、上述した課題を解決する携帯端末、情報処理システム、情報処理方法およびプログラムを提供することである。
【課題を解決するための手段】
【０００６】
本発明の携帯端末は、
携帯端末であって、
当該携帯端末が表示しようとするコンテンツのコンテンツ容量を示す情報をサーバへ要求する要求部と、
前記サーバから通知されたコンテンツ容量と、当該携帯端末の処理の負荷とに基づいて、当該携帯端末の動作モードを第１のモードから第２のモードへ切り替えるモード切替部と、
前記モード切替部が、当該携帯端末の動作モードを前記第１のモードから前記第２のモードへ切り替えた場合、情報処理装置と接続し、前記コンテンツに応じた映像信号の送信を該情報処理装置に対して要求する通信部とを有する。
また、本発明の情報処理システムは、
コンテンツを配信するサーバと、
前記サーバと接続された情報処理装置と、
携帯端末とを有し、
前記サーバは、前記携帯端末から、前記携帯端末が表示しようとするコンテンツのコンテンツ容量を示す情報を要求された場合、該コンテンツ容量を前記携帯端末へ通知し、
前記情報処理装置は、前記携帯端末から、前記コンテンツに応じた映像信号の送信を要求された場合、該コンテンツを前記サーバから取得し、該取得したコンテンツに応じた映像信号を前記携帯端末へ送信し、
前記携帯端末は、
前記コンテンツ容量を示す情報を前記サーバへ要求する要求部と、
前記サーバから通知されたコンテンツ容量と、当該携帯端末の処理の負荷とに基づいて、当該携帯端末の動作モードを第１のモードから第２のモードへ切り替えるモード切替部と、
前記モード切替部が、当該携帯端末の動作モードを前記第１のモードから前記第２のモードへ切り替えた場合、前記情報処理装置と接続し、前記コンテンツに応じた映像信号の送信を該情報処理装置に対して要求する通信部とを有する。
また、本発明の情報処理方法は、
携帯端末が表示しようとするコンテンツのコンテンツ容量を示す情報をサーバへ要求する処理と、
前記サーバから通知されたコンテンツ容量と、前記携帯端末の処理の負荷とに基づいて、前記携帯端末の動作モードを第１のモードから第２のモードへ切り替える処理と、
前記携帯端末の動作モードを前記第１のモードから前記第２のモードへ切り替えた場合、情報処理装置と接続する処理と、
前記コンテンツに応じた映像信号の送信を前記情報処理装置に対して要求する処理とを行う。
また、本発明のプログラムは、
コンピュータに実行させるためのプログラムであって、
携帯端末が表示しようとするコンテンツのコンテンツ容量を示す情報をサーバへ要求する手順と、
前記サーバから通知されたコンテンツ容量と、前記携帯端末の処理の負荷とに基づいて、前記携帯端末の動作モードを第１のモードから第２のモードへ切り替える手順と、
前記携帯端末の動作モードを前記第１のモードから前記第２のモードへ切り替えた場合、情報処理装置と接続する手順と、
前記コンテンツに応じた映像信号の送信を前記情報処理装置に対して要求する手順とを実行させる。
【発明の効果】
【０００７】
以上説明したように、本発明においては、状況に応じた処理を行うことができる。
【図面の簡単な説明】
【０００８】
【図１】本発明の携帯端末の第１の実施の形態を示す図である。
【図２】図１に示した携帯端末における情報処理方法の一例を説明するためのフローチャートである。
【図３】本発明の携帯端末の第２の実施の形態を示す図である。
【図４】図３に示した携帯端末の内部構成の一例を示す図である。
【図５】図４に示した記憶部にあらかじめ記憶されている各閾値の一例を示す図である。
【図６】図４に示した記憶部にあらかじめ記憶されているインタフェース情報の一例を示す図である。
【図７】図３に示した情報処理システムの携帯端末における情報処理方法の一例を説明するためのフローチャートである。
【図８】図３に示した情報処理システムのサーバにおける情報処理方法の一例を説明するためのフローチャートである。
【図９】図３に示した情報処理システムの情報処理装置における情報処理方法の一例を説明するためのフローチャートである。
【図１０】動作モードをシンクライアントモードからローカルモードへ切り替える処理の一例を説明するためのフローチャートである。
【図１１】動作モードをシンクライアントモードからローカルモードへ切り替える処理の他の例を説明するためのフローチャートである。
【図１２】動作モードをシンクライアントモードからローカルモードへ切り替えるための表示の一例を示す図である。
【発明を実施するための形態】
【０００９】
以下に本発明の実施の形態について図面を参照して説明する。
（第１の実施の形態）
【００１０】
図１は、本発明の携帯端末の第１の実施の形態を示す図である。
本形態における携帯端末１００は図１に示すように、要求部１１０と、モード切替部１２０と、通信部１３０とを有している。なお、図１には、本発明の携帯端末１００が具備する構成要素のうち、本実施の形態に関わる主要な構成要素の一例を示す。
【００１１】
要求部１１０は、携帯端末１００が表示しようとするコンテンツのコンテンツ容量を示す情報をサーバへ要求する。
モード切替部１２０は、サーバから通知されたコンテンツ容量と、携帯端末１００の処理の負荷とに基づいて、携帯端末１００の動作モードを第１のモードから第２のモードへ切り替える。
通信部１３０は、モード切替部１２０が、携帯端末１００の動作モードを第１のモードから第２のモードへ切り替えた場合、情報処理装置と接続する。また、通信部１３０は、コンテンツに応じた映像信号の送信を、接続した情報処理装置に対して要求する。
【００１２】
以下に、図１に示した携帯端末１００における情報処理方法について説明する。図２は、図１に示した携帯端末１００における情報処理方法の一例を説明するためのフローチャートである。
【００１３】
まず、要求部１１０は、携帯端末１００が表示しようとするコンテンツのコンテンツ容量を示す情報をサーバへ要求する（ステップＳ１）。要求したコンテンツ容量がサーバから通知されると、モード切替部１２０は、サーバから通知されたコンテンツ容量と、携帯端末１００の処理の負荷とに基づいて、携帯端末１００の動作モードを第１のモードから第２のモードへ切り替える（ステップＳ２）。モード切替部１２０が、携帯端末１００の動作モードを第１のモードから第２のモードへ切り替えた場合、通信部１３０は、情報処理装置と接続する（ステップＳ３）。通信部１３０は、コンテンツに応じた映像信号の送信を、接続した情報処理装置に対して要求する（ステップＳ４）。
【００１４】
以上説明したように、本形態においては、携帯端末１００が表示するコンテンツのコンテンツ容量と、携帯端末１００の処理の負荷とに基づいて、携帯端末１００の動作モードを第１のモードから第２のモードへ切り替え、動作モードを切り替えたことを条件として、コンテンツに応じた映像信号の送信を、接続した情報処理装置に対して要求する。そのため、状況に応じたコンテンツの取得を行うことができる。
（第２の実施の形態）
【００１５】
図３は、本発明の携帯端末の第２の実施の形態を示す図である。
本形態における携帯端末１０１が設けられた情報処理システムは図３に示すように、携帯端末１０１と、サーバ２０１と、情報処理装置３０１とを有している。
サーバ２０１は、通信ネットワーク４０１を介して、携帯端末１０１および情報処理装置３０１と接続されている。サーバ２０１は、様々なコンテンツを配信する配信サーバである。ここで、コンテンツとは、動画や、書籍、ゲーム等の所定のアプリケーションを用いて再生できるデータ（ファイル）である。サーバ２０１は、携帯端末１０１から、携帯端末１０１が表示するコンテンツのコンテンツ容量を示す情報を要求された場合、要求されたコンテンツ容量を携帯端末１０１へ通知する。また、サーバ２０１は、携帯端末１０１または情報処理装置３０１から、コンテンツを要求された場合、要求されたコンテンツを提供する。この提供方法は、携帯端末１０１または情報処理装置３０１がコンテンツを指定してダウンロードする方法等、一般的な方法で良く、ここでは特に規定しない。
情報処理装置３０１は、通信ネットワーク４０１を介して、サーバ２０１と接続されている。また、情報処理装置３０１は、Ｂｌｕｅｔｏｏｔｈ（登録商標）等の近距離無線通信技術を用いて携帯端末１０１と接続されている。なお、情報処理装置３０１と携帯端末１０１との間の接続は、Ｂｌｕｅｔｏｏｔｈ等の近距離無線通信技術を用いたものに限らず、１対１で無線を用いて接続されるものであれば他の技術を用いるものであっても良い。情報処理装置３０１は、携帯端末１０１から、コンテンツに応じた映像信号の送信を要求された場合、そのコンテンツをサーバ２０１からダウンロードして取得する。情報処理装置３０１は、取得したコンテンツに応じた映像信号を携帯端末１０１へ送信する。なお、情報処理装置３０１は、例えば、スマートホンのような利用者が持ち歩くことが可能な装置であっても良い。また、情報処理装置３０１は、ある程度の容量を持った動画等のコンテンツのダウンロードが可能な装置である。
【００１６】
図４は、図３に示した携帯端末１０１の内部構成の一例を示す図である。
図３に示した携帯端末１０１は図４に示すように、要求部１１１と、モード切替部１２１と、通信部１３１と、表示部１４１と、インタフェース設定部１５１と、記憶部１６１と、入力部１７１とを有している。なお、図４には、図３に示した携帯端末１０１が具備する構成要素のうち、本実施の形態に関わる主要な構成要素の一例を示す。
【００１７】
要求部１１１は、表示部１４１が表示しようとするコンテンツのコンテンツ容量を示す情報をサーバ２０１へ要求する。この要求は、例えば、コンテンツの一覧を表示部１４１が表示し、表示に従って外部からの操作に基づいて入力部１７１が受け付けた入力に従って、要求部１１１がそのコンテンツに付与されている識別情報をサーバ２０１へ送信するものであっても良い。
モード切替部１２１は、サーバ２０１から通知されたコンテンツ容量と、携帯端末１０１の処理の負荷とに基づいて、携帯端末１０１の動作モードを第１のモードから第２のモードへ切り替える。ここで、第１のモードとは、携帯端末１０１が情報処理装置３０１等の他の装置を用いることなく、自律でコンテンツをサーバ２０１からダウンロードし、再生（表示、実行等）するモードである。以下、第１のモードをローカルモードと称する。また、第２のモードとは、携帯端末１０１が情報処理装置３０１等の他の装置を用いて処理を行う、いわばシンクライアント端末として動作するモードである。以下、第２のモードをシンクライアントモードと称する。また、携帯端末１０１は、通常、ローカルモードで動作している。
【００１８】
以下に、モード切替部１２１における動作モードの切り替え条件について、詳細に説明する。モード切替部１２１は、以下の条件（１）〜（３）のうち少なくとも１つに当てはまる場合、携帯端末１０１の動作モードをローカルモードからシンクライアントモードへ切り替える。
（１）コンテンツ容量が所定の容量閾値を超えている場合。
（２）携帯端末１０１に具備されたＣＰＵ（Ｃｅｎｔｒａｌ  Ｐｒｏｃｅｓｓｉｎｇ  Ｕｎｉｔ）の負荷が所定の負荷閾値を超えている場合。
（３）携帯端末１０１に具備されたメモリの使用率が所定の使用率閾値を超えている場合。
【００１９】
通信部１３１は、モード切替部１２１が、携帯端末１０１の動作モードをローカルモードからシンクライアントモードへ切り替えた場合、情報処理装置３０１と接続する。このとき、通信部１３１は、あらかじめ設定された情報処理装置３０１と接続する。または、通信部１３１は、携帯端末１０１と通信可能な情報処理装置を検索し、検索できた情報処理装置と接続するものであっても良い。この検索・接続には、携帯端末１０１と情報処理装置との間で、認証処理を用いるものであっても良い。また、通信部１３１は、コンテンツに応じた映像信号の送信を、接続した情報処理装置３０１に対して要求する。
表示部１４１は、情報を表示するディスプレイである。表示部１４１は、情報処理装置３０１から送信されてきた映像信号に基づいた映像を表示する。また、表示部１４１は、入力部１７１の入力機能を兼ね備えたタッチパネルであっても良い。
インタフェース設定部１５１は、通信部１３１が情報処理装置３０１と接続した場合、コンテンツに応じた、携帯端末１０１と情報処理装置３０１との間のインタフェース情報を、通信部１３１を介して情報処理装置３０１から取得する。インタフェース設定部１５１は、取得したインタフェース情報を携帯端末１０１に設定する。このインタフェース情報の詳細については後述する。
記憶部１６１は、情報を記憶するメモリである。記憶部１６１は、モード切替部１２１が上述した比較に用いる各閾値をあらかじめ記憶する。また、記憶部１６１は、インタフェース設定部１５１が設定したインタフェース情報を記憶する。
【００２０】
図５は、図４に示した記憶部１６１にあらかじめ記憶されている各閾値の一例を示す図である。
図４に示した記憶部１６１には図５に示すように、各閾値があらかじめ登録されている。これらは、携帯端末１０１の外部からの操作に基づいて、入力部１７１が受け付けた入力に基づくものである。例えば、容量閾値「４０ＭＢ」が記憶されている。この値を用いて、モード切替部１２１は、サーバ２０１から通知されたコンテンツのコンテンツ容量が４０ＭＢを超えている場合、携帯端末１０１の動作モードをローカルモードからシンクライアントモードへ切り替える。また、負荷閾値「２０％」が記憶されている。この値を用いて、モード切替部１２１は、ＣＰＵの負荷（使用率）が２０％を超えている場合、携帯端末１０１の動作モードをローカルモードからシンクライアントモードへ切り替える。また、使用率閾値「３０％」が記憶されている。この値を用いて、モード切替部１２１は、メモリの使用率が３０％を超えている場合、携帯端末１０１の動作モードをローカルモードからシンクライアントモードへ切り替える。
【００２１】
図６は、図４に示した記憶部１６１にあらかじめ記憶されているインタフェース情報の一例を示す図である。
図４に示した記憶部１６１には図６に示すように、情報処理装置３０１と携帯端末１０１との間のインタフェース情報が記憶されている。これは、インタフェース設定部１５１が設定した内容を示したテーブルであり、このテーブルを用いて、シンクライアントモードで動作している携帯端末１０１への各アプリケーションについての操作が、情報処理装置３０１において解釈可能な情報となって、情報処理装置３０１へ送信されるものである。例えば、動画アプリを終了させたい場合、携帯端末１０１の表示部１４１に表示された画面上のボタンが押された（タッチされた）ことを入力部１７１が検知すると、携帯端末１０１は情報処理装置３０１へコマンドｆ（ｃ）＝１を送信する。一方、情報処理装置３０１では、情報処理装置３０１に設けられたホームボタンが押されたことを検知すると、同じ動画アプリが終了する。テーブルを用いることで、情報処理装置３０１が、携帯端末１０１からコマンドｆ（ｃ）＝１が送信されてくると、情報処理装置３０１に設けられたホームボタンが押されたことを検知したものと解釈する。このように、コマンドのやり取りを用いることで、携帯端末１０１における操作がどのような処理であるかを情報処理装置３０１が解釈できるようにする。
【００２２】
入力部１７１は、携帯端末１０１の外部からの操作に基づいて、情報の入力を受け付ける。
【００２３】
以下に、図３に示した情報処理システムにおける情報処理方法について説明する。まず、図３に示した情報処理システムの携帯端末１０１における情報処理方法について説明する。図７は、図３に示した情報処理システムの携帯端末１０１における情報処理方法の一例を説明するためのフローチャートである。
【００２４】
まず、要求部１１１は、表示部１４１が表示しようとするコンテンツのコンテンツ容量を示す情報をサーバ２０１へ要求する（ステップＳ１１）。要求したコンテンツ容量がサーバから通知されると、モード切替部１２１は、サーバ２０１から通知されたコンテンツ容量が、記憶部１６１が記憶している容量閾値を超えているかどうかを判定する（ステップＳ１２）。
モード切替部１２１が、サーバ２０１から通知されたコンテンツ容量が、記憶部１６１が記憶している容量閾値を超えていないと判定した場合、モード切替部１２１は、ＣＰＵの負荷が、記憶部１６１が記憶している負荷閾値を超えているかどうかを判定する（ステップＳ１３）。
モード切替部１２１が、ＣＰＵの負荷が、記憶部１６１が記憶している負荷閾値を超えていないと判定した場合、モード切替部１２１は、メモリの使用率が、記憶部１６１が記憶している使用率閾値を超えているかどうかを判定する（ステップＳ１４）。
モード切替部１２１が、メモリの使用率が、記憶部１６１が記憶している使用率閾値を超えていないと判定した場合、携帯端末１０１はサーバ２０１からコンテンツをダウンロードする（ステップＳ１５）。このダウンロードの方法については、一般的なもので良い。コンテンツのダウンロードが終了すると、ダウンロードしたコンテンツの映像を表示部１４１が表示する（ステップＳ１６）。ここで、サーバ２０１がストリーミング配信のようなコンテンツ配信を行う場合、コンテンツすべてのダウンロードが完了しなくても、表示部１４１がコンテンツの表示を順次行うものであっても良い。
一方、ステップＳ１２で、モード切替部１２１が、サーバ２０１から通知されたコンテンツ容量が、記憶部１６１が記憶している容量閾値を超えていると判定した場合、モード切替部１２１は、携帯端末１０１の動作モードをローカルモードからシンクライアントモードへ切り替える（ステップＳ１７）。続いて、通信部１３１は、情報処理装置３０１と接続する（ステップＳ１８）。通信部１３１は、情報処理装置３０１と接続すると、コンテンツに応じた映像信号の送信を、情報処理装置３０１に対して要求する（ステップＳ１９）。この要求には、情報処理装置３０１がサーバ２０１からコンテンツをダウンロード（取得）するために必要な情報（例えば、コンテンツの識別情報や、サーバ２０１のアドレス等）が含まれる。その要求に対して情報処理装置３０１から映像信号が送信されてくると、ステップＳ１６にて、表示部１４１は、情報処理装置３０１から送信されてきた映像信号に基づいた映像を表示する。
また、ステップＳ１３で、モード切替部１２１が、ＣＰＵの負荷が、記憶部１６１が記憶している負荷閾値を超えていると判定した場合、また、ステップＳ１４で、モード切替部１２１が、メモリの使用率が、記憶部１６１が記憶している使用率閾値を超えていると判定した場合も、ステップＳ１７〜Ｓ１９の処理およびステップＳ１６の処理が行われる。
【００２５】
次に、図３に示した情報処理システムのサーバ２０１における情報処理方法について説明する。図８は、図３に示した情報処理システムのサーバ２０１における情報処理方法の一例を説明するためのフローチャートである。
【００２６】
サーバ２０１は、携帯端末１０１からコンテンツのコンテンツ容量を示す情報の要求を受け付けると（ステップＳ２１）、そのコンテンツのコンテンツ容量を携帯端末１０１へ通知する（ステップＳ２２）。この通知では、携帯端末１０１がコンテンツ容量を解釈できる通知であればよく、信号の形式等は限定しない。
【００２７】
次に、図３に示した情報処理システムの情報処理装置３０１における情報処理方法について説明する。図９は、図３に示した情報処理システムの情報処理装置３０１における情報処理方法の一例を説明するためのフローチャートである。
【００２８】
まず、情報処理装置３０１が携帯端末１０１と接続され（ステップＳ３１）、携帯端末１０１から映像信号の要求を受けると（ステップＳ３２）、情報処理装置３０１は、その要求に含まれる情報を用いて、サーバ２０１からコンテンツをダウンロードする（ステップＳ３３）。この要求に含まれる情報は、上述したように、コンテンツの識別情報や、サーバ２０１のアドレス等、コンテンツをダウンロード（取得）するために必要な情報である。
情報処理装置３０１は、サーバ２０１からコンテンツのダウンロードを完了すると、ダウンロードしたコンテンツに応じた映像信号を携帯端末１０１へ送信する（ステップＳ３４）。
【００２９】
以上説明したように、本形態においては、携帯端末１０１が表示するコンテンツのコンテンツ容量があらかじめ設定された容量閾値を超えた場合、携帯端末１０１の動作モードをローカルモードからシンクライアントモードへ切り替える。また、携帯端末１０１のＣＰＵの負荷があらかじめ設定された負荷閾値を超えた場合、携帯端末１０１の動作モードをローカルモードからシンクライアントモードへ切り替える。また、携帯端末１０１のメモリの使用率があらかじめ設定された使用率閾値を超えた場合、携帯端末１０１の動作モードをローカルモードからシンクライアントモードへ切り替える。携帯端末１０１は、動作モードを切り替えたことを条件として、コンテンツに応じた映像信号の送信を、接続した情報処理装置３０１に対して要求する。そのため、状況に応じたコンテンツの取得を行うことができる。
【００３０】
なお、動作モードをシンクライアントモードからローカルモードへ切り替える（戻す）タイミングは、所定のタイミングとなる。以下に、２つのタイミングの例を挙げて、動作モードをシンクライアントモードからローカルモードへ切り替える処理について説明する。
【００３１】
図１０は、動作モードをシンクライアントモードからローカルモードへ切り替える処理の一例を説明するためのフローチャートである。
モード切替部１２１は、携帯端末１０１がシンクライアントモードで動作している場合、表示部１４１におけるコンテンツに応じた映像の表示が終了したかどうかを判定する（ステップＳ４１）。表示部１４１におけるコンテンツに応じた映像の表示が終了したかどうかは、例えば、コンテンツが動画データである場合、その動画の再生が終了したかどうかに基づいて判定するものであっても良い。また、例えば、コンテンツデータがゲームである場合、そのゲームがゲームオーバになったかどうかに基づいて判定するものであっても良い。また、例えば、コンテンツデータが書籍データである場合、表示部１４１がその書籍の最後のページを表示した状態で次ページへ移行する指示が行われたかどうかに基づいて判定するものであっても良い。
モード切替部１２１は、表示部１４１におけるコンテンツに応じた映像の表示が終了したと判定した場合、携帯端末１０１の動作モードをシンクライアントモードからローカルモードへ切り替える（ステップＳ４２）。
【００３２】
図１１は、動作モードをシンクライアントモードからローカルモードへ切り替える処理の他の例を説明するためのフローチャートである。
モード切替部１２１は、携帯端末１０１がシンクライアントモードで動作している場合、入力部１７１が、外部からの操作に基づいた所定の入力を受け付けたかどうかを判定する（ステップＳ５１）。
【００３３】
図１２は、動作モードをシンクライアントモードからローカルモードへ切り替えるための表示の一例を示す図である。
図１２に示すように、表示部１４１が、動作モードをシンクライアントモードからローカルモードへ切り替えるための切替表示１８１を表示する。利用者が切替表示１８１をタッチしたことを入力部１７１が検知することで、入力部１７１が、所定の入力を受け付けたと判定する。
【００３４】
モード切替部１２１は、入力部１７１が、外部からの操作に基づいた所定の入力を受け付けたと判定すると、携帯端末１０１の動作モードをシンクライアントモードからローカルモードへ切り替える（ステップＳ５２）。
【００３５】
動作モードをシンクライアントモードからローカルモードへ切り替える方法については、上述した方法に限定しない。例えば、携帯端末１０１と情報処理装置３０１とを接続不可能な距離に置くことで携帯端末１０１と情報処理装置３０１との接続を切断することも考えられる。
【００３６】
なお、携帯端末１０１は、利用者が着用できるウェアラブル端末である。例えば、携帯端末１０１は、利用者の腕に着用できる腕時計型であっても良いし、利用者が眼鏡のように着用できる眼鏡型であっても良い。
【００３７】
また、携帯端末１０１が複数のアプリケーションを起動している場合、個々のアプリケーションについて、上述した処理が行われるものであっても良い。
【００３８】
上述した携帯端末１００，１０１それぞれに設けられた各構成要素が行う処理は、目的に応じてそれぞれ作製された論理回路で行うようにしても良い。また、処理内容を手順として記述したコンピュータプログラム（以下、プログラムと称する）を携帯端末１００，１０１それぞれにて読取可能な記録媒体に記録し、この記録媒体に記録されたプログラムを携帯端末１００，１０１それぞれに読み込ませ、実行するものであっても良い。携帯端末１００，１０１それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、携帯端末１００，１０１それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、携帯端末１００，１０１それぞれに設けられたＣＰＵにて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００３９】
上記の実施の形態の一部または全部は、以下の付記のようにも記載され得るが、以下には限られない。
（付記１）携帯端末であって、
当該携帯端末が表示しようとするコンテンツのコンテンツ容量を示す情報をサーバへ要求する要求部と、
前記サーバから通知されたコンテンツ容量と、当該携帯端末の処理の負荷とに基づいて、当該携帯端末の動作モードを第１のモードから第２のモードへ切り替えるモード切替部と、
前記モード切替部が、当該携帯端末の動作モードを前記第１のモードから前記第２のモードへ切り替えた場合、情報処理装置と接続し、前記コンテンツに応じた映像信号の送信を該情報処理装置に対して要求する通信部とを有する携帯端末。
（付記２）前記情報処理装置から送信されてきた映像信号に基づいた映像を表示する表示部を有する、付記１に記載の携帯端末。
（付記３）前記モード切替部は、前記コンテンツ容量が所定の容量閾値を超えている場合、前記動作モードを前記第１のモードから前記第２のモードへ切り替える、付記１または付記２に記載の携帯端末。
（付記４）前記モード切替部は、当該携帯端末のＣＰＵ（Ｃｅｎｔｒａｌ  Ｐｒｏｃｅｓｓｉｎｇ  Ｕｎｉｔ）の負荷に基づいて、前記動作モードを前記第１のモードから前記第２のモードへ切り替える、付記１から３のいずれか１項に記載の携帯端末。
（付記５）前記モード切替部は、前記ＣＰＵの負荷が所定の負荷閾値を超えている場合、前記動作モードを前記第１のモードから前記第２のモードへ切り替える、付記４に記載の携帯端末。
（付記６）前記モード切替部は、当該携帯端末のメモリの使用率に基づいて、前記動作モードを前記第１のモードから前記第２のモードへ切り替える、付記１から５のいずれか１項に記載の携帯端末。
（付記７）前記モード切替部は、前記メモリの使用率が所定の使用率閾値を超えている場合、前記動作モードを前記第１のモードから前記第２のモードへ切り替える、付記６に記載の携帯端末。
（付記８）前記通信部が前記情報処理装置と接続した場合、前記コンテンツに応じた、当該携帯端末と前記情報処理装置との間のインタフェース情報を、前記情報処理装置から取得し、該取得したインタフェース情報を当該携帯端末に設定するインタフェース設定部を有する、付記１から７のいずれか１項に記載の携帯端末。
（付記９）前記通信部は、前記モード切替部が、前記動作モードを前記第１のモードから前記第２のモードへ切り替えた場合、あらかじめ設定された情報処理装置と接続する、付記１から８のいずれか１項に記載の携帯端末。
（付記１０）前記通信部は、前記モード切替部が、前記動作モードを前記第１のモードから前記第２のモードへ切り替えた場合、当該携帯端末と通信可能な情報処理装置を検索し、該検索できた情報処理装置と接続する、付記１から８のいずれか１項に記載の携帯端末。
（付記１１）前記モード切替部は、当該携帯端末が前記第２のモードで動作している場合、所定のタイミングで前記動作モードを前記第２のモードから前記第１のモードへ切り替える、付記１から１０のいずれか１項に記載の携帯端末。
（付記１２）前記モード切替部は、当該携帯端末が前記第２のモードで動作している場合、前記コンテンツに応じた映像の表示が終了したとき、前記動作モードを前記第２のモードから前記第１のモードへ切り替える、付記１１に記載の携帯端末。
（付記１３）外部からの操作に基づいた入力を受け付ける入力部を有し、
前記モード切替部は、当該携帯端末が前記第２のモードで動作している場合、前記入力部が所定の入力を受け付けたとき、前記動作モードを前記第２のモードから前記第１のモードへ切り替える、付記１１または付記１２に記載の携帯端末。
（付記１４）当該携帯端末は、ウェアラブル端末である、付記１から１３のいずれか１項に記載の携帯端末。
（付記１５）当該携帯端末は、腕時計型である、付記１４に記載の携帯端末。
（付記１６）当該携帯端末は、眼鏡型である、付記１４に記載の携帯端末。
（付記１７）コンテンツを配信するサーバと、
前記サーバと接続された情報処理装置と、
携帯端末とを有し、
前記サーバは、前記携帯端末から、前記携帯端末が表示しようとするコンテンツのコンテンツ容量を示す情報を要求された場合、該コンテンツ容量を前記携帯端末へ通知し、
前記情報処理装置は、前記携帯端末から、前記コンテンツに応じた映像信号の送信を要求された場合、該コンテンツを前記サーバから取得し、該取得したコンテンツに応じた映像信号を前記携帯端末へ送信し、
前記携帯端末は、
前記コンテンツ容量を示す情報を前記サーバへ要求する要求部と、
前記サーバから通知されたコンテンツ容量と、当該携帯端末の処理の負荷とに基づいて、当該携帯端末の動作モードを第１のモードから第２のモードへ切り替えるモード切替部と、
前記モード切替部が、当該携帯端末の動作モードを前記第１のモードから前記第２のモードへ切り替えた場合、前記情報処理装置と接続し、前記コンテンツに応じた映像信号の送信を該情報処理装置に対して要求する通信部とを有する情報処理システム。
（付記１８）前記携帯端末は、前記情報処理装置から送信されてきた映像信号に基づいた映像を表示する表示部を有する、付記１７に記載の情報処理システム。
（付記１９）携帯端末が表示しようとするコンテンツのコンテンツ容量を示す情報をサーバへ要求する処理と、
前記サーバから通知されたコンテンツ容量と、前記携帯端末の処理の負荷とに基づいて、前記携帯端末の動作モードを第１のモードから第２のモードへ切り替える処理と、
前記携帯端末の動作モードを前記第１のモードから前記第２のモードへ切り替えた場合、情報処理装置と接続する処理と、
前記コンテンツに応じた映像信号の送信を前記情報処理装置に対して要求する処理とを行う情報処理方法。
（付記２０）コンピュータに、
携帯端末が表示しようとするコンテンツのコンテンツ容量を示す情報をサーバへ要求する手順と、
前記サーバから通知されたコンテンツ容量と、前記携帯端末の処理の負荷とに基づいて、前記携帯端末の動作モードを第１のモードから第２のモードへ切り替える手順と、
前記携帯端末の動作モードを前記第１のモードから前記第２のモードへ切り替えた場合、情報処理装置と接続する手順と、
前記コンテンツに応じた映像信号の送信を前記情報処理装置に対して要求する手順とを実行させるためのプログラム。
【符号の説明】
【００４０】
１００，１０１    携帯端末
１１０，１１１    要求部
１２０，１２１    モード切替部
１３０，１３１    通信部
１４１    表示部
１５１    インタフェース設定部
１６１    記憶部
１７１    入力部
１８１    切替表示
２０１    サーバ
３０１    情報処理装置
４０１    通信ネットワーク
【図１】
2018042210.tif 000003
【図２】
2018042210.tif 000004
【図３】
2018042210.tif 000005
【図４】
2018042210.tif 000006
【図５】
2018042210.tif 000007
【図６】
2018042210.tif 000008
【図７】
2018042210.tif 000009
【図８】
2018042210.tif 000010
【図９】
2018042210.tif 000011
【図１０】
2018042210.tif 000012
【図１１】
2018042210.tif 000013
【図１２】
2018042210.tif 000014